(57)【特許請求の範囲】
【請求項１】
一面が開口した箱状の器具本体と、前記器具本体内に収容される光源ユニットとを有し、
前記光源ユニットは、所定の方向に光を放射する光源部と、前記光源部から放射される光を導光する導光板と、前記光源部及び前記導光板を支持する支持部材と、前記支持部材を前記器具本体に取り付ける取付部材とを備え、
前記器具本体は、前記一面と対向する底板と、前記一面を囲む側板とを有し、
前記側板は、前記導光板の厚み方向と交差する方向から前記導光板に対向する対向部を有し、
前記対向部は、前記導光板の厚み方向と交差する方向に沿って前記導光板を挿通可能な溝部と、前記溝部に対して前記底板に近い位置に配置される補強部とを有しており、
前記導光板は、常温において、前記導光板の厚み方向と交差する方向に沿って前記対向部との間に隙間を有していることを特徴とする照明器具。
【請求項２】
前記光源ユニットは、前記支持部材から前記導光板に沿って突出し、かつ、前記支持部材から離れるにつれて前記導光板から離れる向きに傾斜する反射板を有しており、
前記導光板は、常温において、前記導光板の厚み方向から見て前記反射板との間に隙間を有していることを特徴とする請求項１記載の照明器具。
【発明の詳細な説明】
【技術分野】
【０００１】
本発明は、照明器具に関し、より詳細には、導光板を備えた照明器具に関する。
【背景技術】
【０００２】
導光板を備える照明器具として、特許文献１記載の照明器具を例示する。特許文献１記載の照明器具は、ＬＥＤ光源部、導光板、器具本体を備え、天井の取付壁部に形成される開口部から室内側に導光板を突出させるようにして天井に埋込設置される。導光板は、透光性を有する透明のアクリル樹脂素材等によって矩形板状に形成されている。器具本体は、一対の挟持部材を有している。一対の挟持部材は、導光板の厚み方向に沿った両側から導光板を挟み込んで支持している。また、一対の挟持部材はそれぞれ、長手方向の両端にＬ字形状の端板部を有している。
【先行技術文献】
【特許文献】
【０００３】
【特許文献１】特開２０１５−３２３９５号公報
【発明の概要】
【発明が解決しようとする課題】
【０００４】
ところで、合成樹脂製の導光板は、ＬＥＤ光源部が発する熱や湿度などの影響によって伸縮する。ゆえに、器具本体の長手方向の両端の壁（特許文献１記載の照明器具における端板部）は、伸長した導光板と接触しないように導光板を逃がすための溝が形成されている。
【０００５】
しかしながら、特許文献１記載の照明器具の構成では、端板部が完全に分離しているため、端板部によって器具本体の強度を保つことは困難である。
【０００６】
本発明の目的は、器具本体の強度を保ちつつ導光板と器具本体の接触を回避することができる照明器具を提供することである。
【課題を解決するための手段】
【０００７】
本発明の一態様に係る照明器具は、一面が開口した箱状の器具本体と、前記器具本体内に収容される光源ユニットとを有している。前記光源ユニットは、所定の方向に光を放射する光源部と、前記光源部から放射される光を導光する導光板と、前記光源部及び前記導光板を支持する支持部材と、前記支持部材を前記器具本体に取り付ける取付部材とを備えている。前記器具本体は、前記一面と対向する底板と、前記一面を囲む側板とを有している。前記側板は、前記導光板の厚み方向と交差する方向から前記導光板に対向する対向部を有している。前記対向部は、前記導光板の厚み方向と交差する方向に沿って前記導光板を挿通可能な溝部と、前記溝部に対して前記底板に近い位置に配置される補強部とを有している。前記導光板は、常温において、前記導光板の厚み方向と交差する方向に沿って前記対向部との間に隙間を有している。
【発明の効果】
【０００８】
本発明の照明器具は、器具本体の強度を保ちつつ導光板と器具本体の接触を回避することができるという効果がある。
【図面の簡単な説明】
【０００９】
【図１】図１は、本発明の一実施形態に係る照明器具の分解斜視図である。
【図２】図２は、同上の照明器具の斜視図である。
【図３】図３は、同上の照明器具の前方から見た側面図である。
【図４】図４は、同上の照明器具の下面図である。
【図５】図５は、同上の照明器具の上面図である。
【図６】図６は、同上の照明器具の右方向から見た断面図である。
【図７】図７は、同上の照明器具の左方向から見た側面図である。
【図８】図８は、同上の照明器具における光源ユニットの斜視図である。
【図９】図９は、同上の光源ユニットの一部省略した斜視図である。
【図１０】図１０は、同上の２台の照明器具における器具本体を連結する前の一部省略した斜視図である。
【図１１】図１１は、同上の２台の照明器具における器具本体を連結した後の一部省略した斜視図である。
【図１２】図１２は、同上の照明器具の前方から見た一部省略した断面図である。
【図１３】図１３は、同上の２台の照明器具を連結した状態の一部省略した斜視図である。
【図１４】図１４は、同上の照明器具の変形例の左方向から見た側面図である。
【発明を実施するための形態】
【００１０】
以下、本発明の一実施形態に係る照明器具１について、図面を参照して詳細に説明する。なお、以下の実施形態で説明する構成は本発明の一例にすぎない。本発明は、以下の実施形態に限定されず、本発明の効果を奏することができれば、設計等に応じて種々の変更が可能である。
【００１１】
本実施形態に係る照明器具１（以下、照明器具１と略す）は、図１〜図７に示すように、器具本体２と、光源ユニット３とを有している。ただし、以下の説明では、特に断りのない限り、図１において、照明器具１の上下、左右及び前後の各方向を規定する。
【００１２】
器具本体２は、長尺の角樋状に形成されている本体部と、本体部の長手方向の両端にそれぞれ取り付けられる一対のエンド部材とで長尺の矩形箱状に形成されている。本体部は、底板２０と、一対の側板２１とを有している。底板２０は、長尺の矩形板状に形成されている。一対の側板２１はそれぞれ、長尺の矩形板状に形成され、底板２０の前端及び後端から左右方向の全長に渡って下向きに突出するように形成されている。ただし、一対の側板２１のそれぞれの下端部分は、外向きに曲げ起こされている。
【００１３】
底板２０は、長手方向のほぼ中央に矩形の挿通孔２００が設けられている。また、底板２０は、複数（たとえば、３つ）のボルト挿通孔２０１が挿通孔２００の左右両側に設けられている。さらに、底板２０は、長手方向（左右方向）の両端近くに、一対のばね取付孔２０２がそれぞれ設けられている。これら一対のばね取付孔２０２は、長軸方向が底板２０の幅方向（前後方向）に平行する長円形に形成されることが好ましい。また、底板２０の上面に端子台２４が取り付けられている（図１参照）。端子台２４は、電力系統（商用の交流電源）からの給電路となる電源線が電気的に接続される。底板２０と一対の側板２１（本体部）は、鋼板などの金属板が曲げ加工されることで一体に形成されることが好ましい。
【００１４】
一対のエンド部材は、本体部の長手方向の第１端（右端）に取り付けられる第１エンド部材２２と、本体部の長手方向の第２端（左端）に取り付けられる第２エンド部材２３とを含む。第１エンド部材２２は、矩形板状に形成されている。また、第１エンド部材２２の下端部分が外向き（右向き）に曲げ起こされている。第１エンド部材２２は、本体部の第１端に取り付けられて本体部の第１端を塞いでいる（図１及び図７参照）。第２エンド部材２３は、本体部の第２端に取り付けられて本体部の第２端を部分的に塞いでいる。ただし、第２エンド部材２３は、他の照明器具（照明器具１と同一の構造を有する照明器具）が連結可能となるように構成されている。以下、第２エンド部材２３の詳細な構成を説明する。
【００１５】
第２エンド部材２３は、本体部２３０、一対の側壁部２３１、突壁部２３２、引掛突部２３３、一対の嵌合突部２３４を有している（図５〜図７及び図１０参照）。ただし、本体部２３０、一対の側壁部２３１、突壁部２３２、引掛突部２３３及び一対の嵌合突部２３４は、鋼板などの金属板が加工されることで一体に形成されている。
【００１６】
本体部２３０は、図７に示すように、概ね矩形板状の補強部２３００と、補強部２３００の下端から下向きに突出する一対の脚部２３０１とを有している。本体部２３０は、一対の脚部２３０１の間に、長手方向を上下方向に一致させた矩形の溝部２３０２を有している。また、一対の脚部２３０１の下端は、左右方向（図７においては紙面に垂直な方向）から見て、後述する第１反射板５１Ａ及び第２反射板５１Ｂと平行するように斜めに傾斜している。さらに、一対の脚部２３０１のうちの一方の脚部（第１脚部２３０１Ａ）に、雌ねじ部２３０３が形成されている（図６参照）。そして、一対の脚部２３０１のうちの他方の脚部（第２脚部２３０１Ｂ）に、挿通溝２３０４が形成されている。挿通溝２３０４は、長手方向を上下方向に一致させて下端を開放した長円形に形成されている（図７参照）。
【００１７】
一対の側壁部２３１はそれぞれ、本体部２３０の前後両側の端から同じ向きに、かつ、互いに平行に突出している（図６及び図１０参照）。また、一対の嵌合突部２３４はそれぞれ、対応する側壁部２３１から矩形板状に切り起こされている（図７参照）。さらに、一対の側壁部２３１の外側面（本体部２３０と反対側の側面）に、円柱形状の突起が形成されている。
【００１８】
突壁部２３２は、図６に示すように、本体部２３０の上端から側壁部２３１と同じ向きに突出している。突壁部２３２は、上下方向から見て、本体部２３０から遠い方の先端部分の幅を、本体部２３０に近い方の後端部分の幅よりも狭くした形状に形成されている。引掛突部２３３は、矩形板状に形成され、突壁部２３２（の先端部分）の先端から下向きに突出している。
【００１９】
引掛突部２３３は、底板２０に設けられている引掛孔２０３に引っ掛けられる（図１０及び図１２参照）。また、一対の嵌合突部２３４はそれぞれ、一対の側板２１のそれぞれに設けられている嵌合凹部２１０のうちの対応する嵌合凹部２１０に嵌合される（図１０参照）。さらに、一対の側壁部２３１に形成されている一対の突起のそれぞれは、一対の側板２１のそれぞれに設けられている嵌合孔２１１のうちの対応する嵌合孔２１１に内側から嵌合される。第２エンド部材２３は、引掛突部２３３を引掛孔２０３に引っ掛け、一対の嵌合突部２３４を嵌合凹部２１０に嵌合し、一対の突起を嵌合孔２１１に嵌合することで底板２０及び一対の側板２１に取り付けられる。ただし、第２エンド部材２３は、底板２０及び一対の側板２１における長手方向の両端のそれぞれに取付可能である。
【００２０】
光源ユニット３は、導光板４、支持部材５、光源部６、電源ブロック７及び一対の取付ばねブロック８を備えている（図１及び図６〜図９参照）。
【００２１】
導光板４は、アクリル樹脂やポリカーボネート樹脂などの透光性を有する合成樹脂材料によって、長尺の矩形板状に形成されることが好ましい。導光板４は、上部の長手方向（左右方向）の中央と両端近くの３箇所に円形の挿通孔４０がそれぞれ設けられている（図１参照）。これら３つの挿通孔４０は、導光板４を厚み方向（前後方向）に貫通している。導光板４は、前面及び後面のそれぞれの表面に細かな凹凸が形成されることが好ましい。
【００２２】
光源部６は、多数のＬＥＤ（発光ダイオード）６０と、長尺の矩形板状に形成されている基板６１とを有している（図６参照）。基板６１の下面に、多数のＬＥＤ６０が長手方向に沿って１列に並べられた状態で実装されている。基板６１の下面には、これら多数のＬＥＤ６０同士を電気的に接続する導体（プリント配線）が形成され、かつ、導体を電源ブロック７の電源ユニット７０に電気的に接続するためのコネクタが実装されている。
【００２３】
電源ブロック７は、電源ユニット７０、ブロックケース７１、端子台７２を有している。電源ユニット７０は、電力系統から端子台２４を経由して供給される交流電力を直流電力に変換する。そして、電源ユニット７０から出力される直流電力が光源部６に供給されてＬＥＤ６０が点灯する。
【００２４】
ブロックケース７１は、矩形板状の取付板７１０と、取付板７１０の上端から左右方向に沿って前方へ突出する上板７１１と、取付板７１０の左端に沿って前方へ突出する側板７１２と、上板７１１の前端から下向きに突出する前板７１３とを有している。ただし、これらの取付板７１０、上板７１１、側板７１２及び前板７１３は、鋼板などの金属板が曲げ加工されて一体に形成されることが好ましい。取付板７１０の前面に電源ユニット７０がねじ止めされて取り付けられる。また、取付板７１０の前面における右端に、信号線用の端子台７２が取り付けられている。信号線は、外部のコントローラなどから調光信号が伝送される伝送媒体である。電源ユニット７０は、端子台７２を経由して調光信号を受け取り、受け取った調光信号に応じて直流電力を調整して光源部６を調光する。
【００２５】
一対の取付ばねブロック８は同一の構成を有している（図１及び図８参照）。取付ばねブロック８は、図９に示すように、取付ばね８０、ばね保持具８２及びばね取付金具８１を有している。取付ばね８０は、ねじりコイルばねで構成されている。取付ばね８０は、ソレノイド状のコイル部８００と、一対の長尺の腕８０１とを有する。ばね取付金具８１は、主片８１０と、一対の側片８１１と、突部８１２と、引掛部８１３とを有している。主片８１０は、矩形板状に形成されている。一対の側片８１１は、矩形板状に形成され、主片８１０の短手方向（前後方向）の両端から下向きに突出している。突部８１２は、平板状に形成され、主片８１０の長手方向（左右方向）の第１端（図９においては左端）から上向きに突出している。さらに、突部８１２の先端部分（上端部分）８１２０は、上に突出する曲面形状（例えば、左右方向から見た輪郭が弧状）に形成されている。引掛部８１３は、Ｕ字形状に形成され、主片８１０の長手方向（左右方向）の第２端（図９においては右端）から上向きに突出している。引掛部８１３の長手方向（前後方向）の両端から、それぞれ爪８１３０が突出している（図９参照）。これら一対の爪８１３０はそれぞれ、取付ばね８０の一対の腕８０１のうちの対応する腕８０１を着脱可能に引っ掛けることができる。ただし、主片８１０、一対の側片８１１、突部８１２及び引掛部８１３は、鋼板などの金属板が曲げ加工されて一体に形成されることが好ましい。
【００２６】
ばね保持具８２は、半円環状の保持片８２０と、矩形板状の固定片８２１とを有している。固定片８２１は、保持片８２０の周方向の一端から保持片８２０の径方向に沿って外向きに突出している。保持片８２０と固定片８２１は、鋼板などの金属板が曲げ加工されて一体に形成されることが好ましい。さらに、保持片８２０と固定片８２１の短手方向（前後方向）の両端が上向きに曲げ起こされている。ばね保持具８２は、主片８１０の第１端の近くに固定片８２１をねじ止めすることでばね取付金具８１に固定されている。ばね保持具８２は、保持片８２０を取付ばね８０のコイル部８００に挿通することでコイル部８００を保持している。取付ばね８０のコイル部８００は、コイル部８００の周方向に沿って回転可能に、ばね保持具８２の保持片８２０に保持されている。ただし、主片８１０の第１端の近くには、コイル部８００との接触を避けるために、矩形の貫通孔８１４が設けられている（図９参照）。
【００２７】
支持部材５は、第１部材５Ａと、第２部材５Ｂと、第３部材５Ｃとで構成されている（図６、図８及び図９参照）。第１部材５Ａは、矩形板状の第１支持板５０Ａと、同じく矩形板状の第１反射板５１Ａと、第１底板５２Ａと、第１側板５３Ａとを有している。第１反射板５１Ａは、第１支持板５０Ａの短手方向（上下方向）の第１端（下端）から全長に渡って斜め下向きに突出している。ただし、第１反射板５１Ａの先端（下端）は斜め上向きに折り返されている。第１底板５２Ａは、第１支持板５０Ａよりも長手方向（左右方向）の寸法が僅かに短い矩形板状に形成されている。第１底板５２Ａは、第１支持板５０Ａの上端から外向き（第１反射板５１Ａが突出する向き）に突出している。第１側板５３Ａは、矩形板状に形成されて第１底板５２Ａの先端（前端）から上向きに突出している。
【００２８】
第２部材５Ｂは、矩形板状の第２支持板５０Ｂと、同じく矩形板状の第２反射板５１Ｂと、第２底板５２Ｂと、第２側板５３Ｂとを有している。第２反射板５１Ｂは、第２支持板５０Ｂの短手方向（上下方向）の第１端（下端）から全長に渡って斜め下向きに突出している。ただし、第２反射板５１Ｂの先端（下端）は斜め上向きに折り返されている。第２底板５２Ｂは、第２支持板５０Ｂよりも長手方向（左右方向）の寸法が僅かに短い矩形板状に形成されている。第２底板５２Ｂは、第２支持板５０Ｂの上端から外向き（第２反射板５１Ｂが突出する向き）に突出している。第２側板５３Ｂは、矩形板状に形成されて第２底板５２Ｂの先端（後端）から上向きに突出している。ただし、第２部材５Ｂは、第１部材５Ａと鏡像の関係にある。
【００２９】
第３部材５Ｃは、第３底板５２Ｃと、一対の第３側板５３Ｃとを有している。第３底板５２Ｃは、第１部材５Ａの第１底板５２Ａ及び第２部材５Ｂの第２底板５２Ｂと長手方向の寸法が等しい矩形板状に形成されている。一対の第３側板５３Ｃはそれぞれ矩形板状に形成され、第３底板５２Ｃの前端及び後端から下向きに突出している。前側の第３側板５３Ｃの前面に第１部材５Ａの第１側板５３Ａがねじ止めされ、後側の第３側板５３Ｃの後面に第２部材５Ｂの第２側板５３Ｂがねじ止めされることにより、第１部材５Ａと第２部材５Ｂと第３部材５Ｃが結合されて支持部材５が構成されている。ここで、第１底板５２Ａ、第２底板５２Ｂ、第３部材５Ｃ、第１側板５３Ａ、第２側板５３Ｂにより、角筒状の収容部５４が形成されている。収容部５４は、光源部６を内部に収容している。光源部６の基板６１が収容部５４の上側の壁（第３底板５２Ｃ）にねじ止めされている（図６参照）。収容部５４は、前後方向の中央に、長手方向に沿った直線状の溝５４０が形成されている。そして、収容部５４に収容されている光源部６の全てのＬＥＤ６０が、上下方向に沿って溝５４０と対向している（図６参照）。
【００３０】
第１支持板５０Ａ及び第２支持板５０Ｂはそれぞれ、長手方向の両端近くに２つの挿通孔（第１挿通孔という）が設けられ、長手方向の中央に１つの挿通孔（第２挿通孔という）が設けられている。２つの第１挿通孔はそれぞれ、第１支持板５０Ａ及び第２支持板５０Ｂの長手方向に長軸方向を平行させた長円形に形成されることが好ましい。また、第２挿通孔は、第１支持板５０Ａ及び第２支持板５０Ｂの短手方向（上下方向）に長軸方向を平行させた長円形に形成されることが好ましい。
【００３１】
支持部材５は、第１支持板５０Ａと第２支持板５０Ｂの間に挟み込むようにして導光板４を支持する。より詳細には、収容部５４の溝５４０に導光板４の上部（第１端部）が差し込まれた状態で、第１支持板５０Ａ及び第２支持板５０Ｂと導光板４の第１端部とが３つの連結具５５で連結される（図６〜図９参照）。これら３つの連結具５５はそれぞれ、頭付きの鋲（スタッド）５５０と、ナット（押込み板ばねナット）５５１とで構成されている（図６参照）。３つの鋲５５０の軸５５００がそれぞれ、第２支持板５０Ｂの２つの第１挿通孔及び１つの第２挿通孔に挿通される。これらの軸５５００の外周面に、周方向に沿って溝が形成されている。３つのナット５５１は、第１支持板５０Ａの第１挿通孔及び第２挿通孔から突出する３つの軸５５００の溝にそれぞれ嵌め込まれる。つまり、３つの鋲５５０は、第１支持板５０Ａ及び第２支持板５０Ｂの３つの挿通孔と導光板４の３つの挿通孔４０とに軸５５００が挿通された状態で３つのナット５５１によって抜け止めされる。その結果、導光板４は、第１支持板５０Ａと第２支持板５０Ｂに、第１端部が厚み方向（前後方向）から挟み込まれた状態で支持される（図６〜図９参照）。
【００３２】
ここで、支持部材５（第１支持板５０Ａ及び第２支持板５０Ｂ）に支持された導光板４の上面が光源部６の全てのＬＥＤ６０と正対している（図６参照）。したがって、光源部６のＬＥＤ６０から放射される光（光束）のほぼ全てが導光板４の上面（以下、入射面ともいう）から導光板４内に入射する。導光板４に入射した光は導光板４内を進行しながら、導光板４の表面から導光板４の外に出射する。なお、以下の説明では、導光板４の前面、後面、左側面、右側面及び下面を総称して、導光板４の表面と呼ぶ場合がある。
【００３３】
支持部材５の収容部５４の左右両端に、２つの取付ばねブロック８がそれぞれ１つずつ取り付けられる（図１参照）。２つの取付ばねブロック８は、ばね取付金具８１の一対の側片８１１が、収容部５４の前後両側の壁（第１側板５３Ａ、第２側板５３Ｂ及び一対の第３側板５３Ｃ）にそれぞれねじ止めされることで支持部材５に取り付けられている（図１及び図６〜図９参照）。また、電源ブロック７は、ブロックケース７１の取付板７１０及び前板７１３のそれぞれの下部が、収容部５４の前後両側の壁にそれぞれねじ止めされることで収容部５４に取り付けられている（図１及び図８参照）。
【００３４】
ここで、光源ユニット３は、電源ユニット７０から給電させることによって光源部６を点灯する。光源部６（のＬＥＤ６０）から放射される光は、導光板４の入射面から導光板４内に入射し、導光板４内を導光されながら導光板４の表面から出射する。なお、導光板４の第１端部の前面及び後面は第１支持板５０Ａ及び第２支持板５０Ｂにそれぞれ覆われている。したがって、導光板４の第１端部の前面及び後面から出射する光は、第１支持板５０Ａ及び第２支持板５０Ｂのそれぞれの導光板４と接する面で反射されて導光板４内に戻る。ただし、第１支持板５０Ａ及び第２支持板５０Ｂのそれぞれの導光板４と接する面は、凹凸の少ない滑らかな面（反射率の高い面）とされることが好ましい。
【００３５】
導光板４の表面から出射する光は、導光板４の表面に形成されている細かな凹凸によって拡散される。導光板４の表面のうち、導光板４の前面及び後面から出射され、かつ、拡散された光の一部は、器具本体２内に向かって進行する。そして、器具本体２内に向かって進行した光は、器具本体２内に配置されている第１反射板５１Ａ及び第２反射板５１Ｂのそれぞれの反射面（下面）で反射される。これらの反射面で反射された光は、照明器具１の下方に照射される。つまり、照明器具１は、反射板(第１反射板５１Ａ及び第２反射板５１Ｂ）を有しているので、反射板の寸法や傾斜角などに応じて、導光板４から出射される光（光束）の配光特性の制御のしやすさの向上を図ることができる。ただし、支持部材５は、反射板（第１反射板５１Ａ又は第２支持板５０Ｂ）を１つだけ有していても構わない。
【００３６】
次に、照明器具１の施工作業の手順を説明する。まず、施工作業を行う作業者は、天井仕上げ材１０に設けられている埋込孔１１に器具本体２を挿入する（図６及び図７参照）。さらに、作業者は、建物の躯体に下向きに埋め込まれている複数本の吊りボルトを器具本体２の底板２０の複数のボルト挿通孔２０１にそれぞれ挿通し、これら複数の吊りボルトにナットを締め付けることで器具本体２を複数本の吊りボルトに取り付ける。このとき、天井仕上げ材１０の下面における器具本体２と埋込孔１１との隙間は、外向きに曲げ起こされた側板２１の下端部分及び第１エンド部材２２の下端部分によってそれぞれ目隠しされる（図６及び図７参照）。また、作業者は、器具本体２の底板２０に取り付けられている端子台２４に、電力系統からの電源線を電気的に接続する。
【００３７】
続いて、作業者は、２つの取付ばね８０の一対の腕８０１を器具本体２の底板２０に設けられている２つのばね取付孔２０２（図５参照）にそれぞれ挿入する。このとき、２つの取付ばね８０のそれぞれのコイル部８００がねじられた状態となる。そして、２つの取付ばね８０の一対の腕８０１のそれぞれの先端に設けられている引掛部８０２が、底板２０の上面における２つのばね取付孔２０２の長手方向（前後方向）の両端の縁に引っ掛かる。その結果、光源ユニット３は、２つの取付ばね８０により、底板２０に吊り下げられた状態で器具本体２に仮保持される。作業者は、光源ユニット３を器具本体２に仮保持させた状態で、器具本体２の端子台２４と電源ユニット７０を電線（図示せず）で電気的に接続する。
【００３８】
最後に、作業者は、光源ユニット３を押し上げて器具本体２内に収容する。すると、底板２０の２つのばね取付孔２０２のそれぞれに上向きに挿入された２つの取付ばね８０の一対の腕８０１が前後方向に広がり、底板２０の２つのばね取付孔２０２の前後両端の縁に各腕８０１が引っ掛かる（図２及び図５参照）。そして、支持部材５は、取付ばね８０のばね力によって上向きに引っ張り上げられ、ばね取付金具８１の突部８１２の先端部分８１２０を器具本体２の底板２０（の下面）に当てた状態で器具本体２に支持される。つまり、光源ユニット３は、器具本体２内に収容された状態で、２つの取付ばね８０のばね力によって器具本体２に支持される（図４〜図７参照）。ただし、光源ユニット３の電源ブロック７は、底板２０に設けられている挿通孔２００に挿通されて器具本体２の底板２０の外に突出する（図２参照）。照明器具１は、上述のようにして、天井仕上げ材１０の埋込孔１１に埋め込まれた状態で施工される。
【００３９】
次に、２台の照明器具１を連結する場合の施工作業の手順を説明する。まず、施工作業を行う作業者は、１台目の器具本体２を複数本の吊りボルトに取り付ける。
【００４０】
続いて、作業者は、２台目の器具本体２の第２エンド部材２３の雌ねじ部２３０３に雄ねじ２５をねじ込んでおく（図１０参照）。それから、作業者は、２台目の器具本体２を天井仕上げ材１０の埋込孔１１に挿入し、１台目の器具本体２の第２エンド部材２３の溝部２３０２に、２台目の器具本体２の第２エンド部材２３の雄ねじ２５を挿通する（図１１参照）。それから、作業者は、２台目の器具本体２を複数本の吊りボルトに取り付ける。その後、作業者は、２台目の器具本体２の第２エンド部材２３の溝部２３０２に別の雄ねじ２５を挿通し、その別の雄ねじ２５を１台目の器具本体２の第２エンド部材２３の雌ねじ部２３０３にねじ込む。作業者は、２本の雄ねじ２５を締め込むことによって、２台の器具本体２のそれぞれの第２エンド部材２３同士を固定する（図１１参照）。最後に、作業者は、２台の器具本体２のそれぞれに光源ユニット３を取り付ける。このとき、作業者は、２台の光源ユニット３のそれぞれの導光板４及び反射板（第１反射板５１Ａ及び第２反射板５１Ｂ）が真っ直ぐに連なるように、それぞれの器具本体２に対する光源ユニット３の取付角度を調整する。以上のようにして、２台の照明器具１が連結された状態で施工される（図１３参照）。
【００４１】
ところで、アクリル樹脂等の合成樹脂で形成される導光板４は、点灯中のＬＥＤ６０が発する熱や電源ブロック７で発生する熱並びに湿気によって伸長する可能性が高い。そして、導光板４が長手方向に伸長した場合、導光板４の長手方向の端部が、エンド部材（第１エンド部材２２及び第２エンド部材２３）に当たる可能性がある。
【００４２】
これに対して、照明器具１の器具本体２は、導光板４の長手方向（左右方向）から導光板４と対向する第２エンド部材２３に、導光板４の長手方向に沿って導光板４が挿通可能な溝部２３０２を有している（図７参照）。つまり、長手方向に伸長した導光板４は、第２エンド部材２３の溝部２３０２に挿通されて器具本体２の外に突出することができるので、導光板４と器具本体２（の第２エンド部材２３）との接触を回避することができる。
【００４３】
さらに、第２エンド部材２３は、溝部２３０２に対して器具本体２の底板２０に近い位置に配置される補強部２３００を有している（図７参照）。つまり、照明器具１は、導光板４を挿通するための溝部２３０２を第２エンド部材２３が有しつつ、補強部２３００によって第２エンド部材２３が補強されている。そのため、照明器具１は、特許文献１記載の従来例と比較して、器具本体２の強度を保ちつつ導光板４と器具本体２の接触を回避することができる。
【００４４】
ところで、導光板４は、常温において、長手方向に沿って第２エンド部材２３の外表面との間に隙間ｄ１を有していることが好ましい（図１２参照）。照明器具１は、隙間ｄ１を有していることにより、導光板４が伸長したときに第２エンド部材２３の外表面から突出する突出量を減らすことができる。つまり、図１３に示すように、複数台の照明器具１が長手方向に一列に並べられて天井に設置される場合、隣合って設置される２台の照明器具１のそれぞれの導光板４が、温度上昇等の影響で伸長して接触してしまう可能性がある。しかしながら、常温において、導光板４と第２エンド部材２３（の外表面）との間に隙間ｄ１があれば、２台の照明器具１のそれぞれの導光板４が伸長した場合でも導光板４同士が接触し難くなる。
【００４５】
また、導光板４が長手方向に伸長して反射板の外に突出してしまった場合、導光板４から出射される光の一部が反射板に反射され難くなって照明器具１の下方の照度が低下するおそれがある。そこで、導光板４は、常温において、導光板４の厚み方向（前後方向）から見て、反射板（第１反射板５１Ａ及び第２反射板５１Ｂ）との間に隙間ｄ２を有していることが好ましい（図１２参照）。常温において、導光板４と反射板との間に隙間ｄ２があれば、導光板４が伸長した場合でも導光板４から出射される光のほぼすべてを反射板で反射しやすくなる。
【００４６】
ところで、本実施形態の変形例に係る照明器具１のように、導光板４の下端を第１反射板５１Ａ及び第２反射板５１Ｂのそれぞれの先端（下端）よりも先（下）に突出させなくてもよい（図１４参照）。変形例に係る照明器具１は、導光板４の下端を第１反射板５１Ａ及び第２反射板５１Ｂの下端よりも下に突出させていない。言い換えると、変形例に係る照明器具１は、導光板４を器具本体２の内部に収容している。そのため、変形例に係る照明器具１は、導光板４から出射する光を導光板４の直下及びその周辺の比較的に狭い範囲に照射することができる。
【００４７】
照明器具１は上述のように、一面（下面）が開口した箱状の器具本体２と、器具本体２内に収容される光源ユニット３とを有している。光源ユニット３は、所定の方向（下方向）に光を放射する光源部６と、光源部６から放射される光を導光する導光板４と、光源部６及び導光板４を支持する支持部材５と、支持部材５を器具本体２に取り付ける取付部材（取付ばね８０）とを備えている。器具本体２は、下面と対向する底板２０と、下面を囲む側板（一対の側板２１、第１エンド部材２２及び第２エンド部材２３）とを有している。側板は、導光板４の厚み方向（前後方向）と交差する方向（左右方向）から導光板４に対向する対向部（第２エンド部材２３）を有している。第２エンド部材２３は、導光板４の厚み方向と交差する方向（左右方向）に沿って導光板４を挿通可能な溝部２３０２と、溝部２３０２に対して底板２０に近い位置に配置される補強部２３００とを有している。
【００４８】
照明器具１が上述のように構成されれば、導光板４を挿通するための溝部２３０２を有しつつ、補強部２３００によって第２エンド部材２３が補強されているので、器具本体２の強度を保ちつつ導光板４と器具本体２の接触を回避することができる。
【００４９】
また、照明器具１において、導光板４は、常温において、導光板４の厚み方向（前後方向）と交差する方向（左右方向）に沿って対向部（第２エンド部材２３）との間に隙間ｄ１を有していることが好ましい。
【００５０】
照明器具１が上述のように構成されれば、複数台の照明器具１が長手方向に一列に並べられて天井に設置される場合、隣合って設置される２台の照明器具１のそれぞれの導光板４が、温度上昇等の影響で伸長しても互いに接触し難くなる。
【００５１】
さらに、照明器具１において、光源ユニット３は、支持部材５から導光板４に沿って突出し、かつ、支持部材５から離れるにつれて導光板４から離れる向きに傾斜する反射板（第１反射板５１Ａ及び第２反射板５１Ｂ））を有していることが好ましい。導光板４は、常温において、導光板４の厚み方向（前後方向）から見て反射板との間に隙間ｄ２を有していることが好ましい。
【００５２】
照明器具１が上述のように構成されれば、導光板４が伸長した場合でも導光板４から出射される光のほぼすべてを反射板で反射しやすくなる。
【符号の説明】
【００５３】
１  照明器具
２  器具本体
３  光源ユニット
４  導光板
５  支持部材
２０  底板
２１  側板
２２  第１エンド部材（側板）
２３  第２エンド部材（側板、対向部）
８０  取付ばね（取付部材）
５１Ａ  第１反射板（反射板）
５１Ｂ  第２反射板（反射板）
２３００  補強部
２３０２  溝部
ｄ１、ｄ２  隙間
【図１】
0006731641.tif 000002
【図２】
0006731641.tif 000003
【図３】
0006731641.tif 000004
【図４】
0006731641.tif 000005
【図５】
0006731641.tif 000006
【図６】
0006731641.tif 000007
【図７】
0006731641.tif 000008
【図８】
0006731641.tif 000009
【図９】
0006731641.tif 000010
【図１０】
0006731641.tif 000011
【図１１】
0006731641.tif 000012
【図１２】
0006731641.tif 000013
【図１３】
0006731641.tif 000014
【図１４】
0006731641.tif 000015